(57)【要約】【課題】自動録画装置の記録容量の枯渇を抑制でき、記録した番組の消去にかかる操作の煩わしさを軽減できる自動録画装置を提供する。【解決手段】テレビジョン受信機が受信する番組を自動的に録画する自動録画装置あるいは自動録画方法であって、録画用の選局手段とは別に視聴用の選局手段を設け、録画用の選局情報（選局チャンネルあるいは選択番組の情報）と録画中に実施された視聴用の選局情報（選局チャンネルあるいは選択番組の情報）を比較することにより、録画中の番組が最期まで視聴されたと判断された場合は、録画した番組を録画装置から消去する。【選択図】図２
2007295473.tif 000002
【特許請求の範囲】
【請求項１】
予め録画するテレビジョン番組を登録する番組予約手段と、
受信するテレビジョン番組の複数のチャンネルの中から前記番組予約手段によって予め録画予約されているテレビジョン番組が放送される第１のチャンネルを録画用チューナによって選局する第1の選局手段と、
受信するテレビジョン番組の複数のチャンネルの中から前記第1の選局手段が選択した第１のチャンネルと同一のチャンネルもしくは録画予約されているテレビジョン番組とは異なるテレビジョン番組が放送される第２のチャンネルを視聴用チューナによって選局する第２の選局手段と、
前記番組予約手段で登録された番組予約情報に基づいて、前記第1の選局手段で選局されたチャンネルで放送されるテレビジョン番組を録画する録画手段と、
前記第1の選局手段の選局情報と第２の選局手段の選局情報に基づいて、前記録画手段によって録画されたテレビジョン番組が、番組終了まで視聴されたか否かを判断する判断手段を備え、
録画されたテレビジョン番組が番組終了まで視聴されたと判断されると、前記録画手段に録画された視聴済みのテレビジョン番組を消去することを特徴とする自動録画装置。
【請求項２】
予め録画するテレビジョン番組を登録する番組予約手段と、
受信するテレビジョン番組の複数のチャンネルの中から前記番組予約手段によって予め録画予約されているテレビジョン番組が放送される第１のチャンネルを選局できると共に、受信するテレビジョン番組の複数のチャンネルの中から前記第1の選局手段が選択した第１のチャンネルと同一のチャンネルもしくは前記録画予約されているテレビジョン番組とは異なる視聴用のテレビジョン番組が放送される第２のチャンネルを選局できる録画／視聴共用選局手段と、
前記番組予約手段で登録された番組予約情報に基づいて、前記録画／視聴共用選局手段で選局されたチャンネルのテレビジョン番組を録画する録画手段と、
前記録画／視聴共用選局手段の選局情報に基づいて、ユーザーが前記第１のチャンネル以外のチャンネルを選局したか、あるいは選局された前記第１のチャンネルで放送された録画予約されていたテレビジョン番組が、番組終了まで視聴されたか否かを判断する判断手段を備え、
前記第１のチャンネル以外のチャンネルをユーザーが選局したと判断すると録画を中止すると共に録画データを消去し、また、録画予約されていたテレビジョン番組が番組終了まで視聴されたと判断すると前記録画手段に録画された視聴済みのテレビジョン番組を消去することを特徴とする自動録画装置。
【請求項３】
予め録画するテレビジョン番組を登録する番組予約ステップと、
受信するテレビジョン番組の複数のチャンネルの中から前記番組予約ステップにおいて予め録画予約されているテレビジョン番組が放送される第１のチャンネルを録画用チューナによって選局する第1の選局ステップと、
受信するテレビジョン番組の複数のチャンネルの中から前記第1の選局ステップが選択した前記第１のチャンネルと同一もしくは録画予約されているテレビジョン番組とは異なるテレビジョン番組が放送される前記第２チャンネルを、視聴用チューナによって選局する第２の選局ステップと、
前記番組予約ステップで登録された番組予約情報に基づいて前記第1の選局ステップ手段で選局されたチャンネルのテレビジョン番組を録画する録画ステップと、
前記第1の選局ステップにおける選局情報と前記第２の選局ステップにおける選局情報に基づいて、前記録画ステップによって録画されたテレビジョン番組が番組終了まで視聴されたか否を判断する判断ステップを有し、
録画されたテレビジョン番組が番組終了まで視聴されたと判断されると、前記録画ステップにおいて録画された視聴済みのテレビジョン番組を消去することを特徴とする自動録画方法。
【請求項４】
予め録画するテレビジョン番組を登録する番組予約ステップと、
受信するテレビジョン番組の複数のチャンネルの中から前記番組予約ステップによって予め録画予約されているテレビジョン番組が放送される第１のチャンネルを選局する録画用選局ステップと、
受信するテレビジョン番組の複数のチャンネルの中から前記録画用選局ステップにおいて選択された第１のチャンネルと同一のチャンネルもしくは前記録画予約されているテレビジョン番組とは異なる視聴用のテレビジョン番組が放送される第２のチャンネルを選局する視聴共用選局ステップと、
前記番組予約ステップで登録された番組予約情報に基づいて前記録画用選局ステップで選局されたチャンネルのテレビジョン番組を録画する録画ステップと、
前記録画用選局ステップおよび前記視聴用選局ステップにおける選局情報に基づいて、ユーザーが前記第１のチャンネル以外のチャンネルを選局したか、あるいは選局された前記第１のチャンネルで放送された録画予約されていたテレビジョン番組が番組終了まで視聴されたか否かを判断する判断ステップを有し、
ユーザーが前記第１のチャンネル以外のチャンネルを選局したと判断されると録画を中止すると共に録画データを消去し、また、録画予約されていたテレビジョン番組が番組終了まで視聴されたと判断されると前記録画手段に録画された視聴済みのテレビジョン番組を消去することを特徴とする自動録画方法。
【請求項５】
請求項１または２に記載の自動録画装置を備えたことを特徴とするテレビジョン受信機。
【発明の詳細な説明】
【技術分野】
【０００１】
本発明は、例えば、テレビジョン受信機に適用する自動録画装置、自動録画方法および自動録画装置を有したテレビジョン受信機に関するものである。
【背景技術】
【０００２】
従来のテレビジョン受信機などに適用される録画装置は、ユーザーが録画や録画予約の操作を行う必要があった。
この改善策として、ユーザーの過去の曜日別、時間帯別のチャンネル選局頻度情報を基にして、ユーザーの操作の介在なしに、曜日、時間帯別にチャンネルを自動的に選択し、自動録画を行う方法が考えられている（例えば、特許文献１参照。）。
【特許文献１】特開２００２−１９９２９３号公報（図１、段落０００８）
【発明の開示】
【発明が解決しようとする課題】
【０００３】
上記したような従来の自動録画装置の問題点は、自動録画された番組の消去である。
録画装置の記録容量には限りがあるので、自動録画を行うと思いのほか早く記録可能な容量が枯渇してしまうことがある。
従って、記録された番組を消去するために、ユーザーに負担をかけることがあった。
【０００４】
この発明は、このような問題点を解決するためになされたものであり、自動録画装置の記録容量の枯渇を抑制でき、記録した番組の消去にかかる煩わしさを軽減できる自動録画装置および自動録画方法を提供することである。
【課題を解決するための手段】
【０００５】
本発明に係わる自動録画装置は、予め録画するテレビジョン番組を登録する番組予約手段と、受信するテレビジョン番組の複数のチャンネルの中から前記番組予約手段によって予め録画予約されているテレビジョン番組が放送される第１のチャンネルを録画用チューナによって選局する第1の選局手段と、受信するテレビジョン番組の複数のチャンネルの中から前記第1の選局手段が選択した第１のチャンネルと同一のチャンネルもしくは録画予約されているテレビジョン番組とは異なるテレビジョン番組が放送される第２のチャンネルを視聴用チューナによって選局する第２の選局手段と、前記番組予約手段で登録された番組予約情報に基づいて、前記第1の選局手段で選局されたチャンネルで放送されるテレビジョン番組を録画する録画手段と、前記第1の選局手段の選局情報と第２の選局手段の選局情報に基づいて、前記録画手段によって録画されたテレビジョン番組が、番組終了まで視聴されたか否かを判断する判断手段を備え、録画されたテレビジョン番組が番組終了まで視聴されたと判断されると、前記録画手段に録画された視聴済みのテレビジョン番組を消去するように構成されたものである。
【０００６】
また、本発明に係わる自動録画方法は、予め録画するテレビジョン番組を登録する番組予約ステップと、受信するテレビジョン番組の複数のチャンネルの中から前記番組予約ステップにおいて予め録画予約されているテレビジョン番組が放送される第１のチャンネルを録画用チューナによって選局する第1の選局ステップと、受信するテレビジョン番組の複数のチャンネルの中から前記第1の選局ステップが選択した前記第１のチャンネルと同一もしくは録画予約されているテレビジョン番組とは異なるテレビジョン番組が放送される前記第２チャンネルを、視聴用チューナによって選局する第２の選局ステップと、前記番組予約ステップで登録された番組予約情報に基づいて前記第1の選局ステップ手段で選局されたチャンネルのテレビジョン番組を録画する録画ステップと、前記第1の選局ステップにおける選局情報と前記第２の選局ステップにおける選局情報に基づいて、前記録画ステップによって録画されたテレビジョン番組が番組終了まで視聴されたか否を判断する判断ステップを有し、録画されたテレビジョン番組が番組終了まで視聴されたと判断されると、前記録画ステップにおいて録画された視聴済みのテレビジョン番組を消去するものである。
【発明の効果】
【０００７】
本実施の形態による自動録画装置あるいは自動録画方法においては、録画用の番組選択情報とユーザーが視聴する番組選択情報とに基づいて録画されたテレビジョン番組が視聴済みであると判断されると、録画された視聴済みのテレビジョン番組を消去するので、録画装置の記録容量の枯渇を抑制でき、記録番組の消去にかかる操作の煩わしさを軽減できる。
【発明を実施するための最良の形態】
【０００８】
以下、図面に基づいて、本発明の一実施の形態について説明する。
なお、各図間において、同一符合は、同一あるいは相当のものであることを表す。
実施の形態１．
図１は、本発明の実施の形態１に係わる自動録画装置を含んだデジタル放送用のテレビジョン受信機の構成を示すブロック図である。
図に示すように、実施の形態１に係わる自動録画装置を含んだデジタル放送用のテレビジョン受信機は、テレビジョン受信機全体を制御するコントローラ１、録画用のチャンネルを選局するための録画用チューナ２、録画用チューナ２の出力の復調処理を行う復調回路３、多重化された信号から所望のデータを分離する分離回路４、番組を録画する録画装置５、視聴用のチャンネルを選局するための視聴用チューナ６、視聴用チューナ６の出力の復調処理を行う復調回路７、分離回路４から取り出したデータの復号処理を行う復号回路８、表示するための処理を施す表示制御回路９、映像信号を表示する表示装置１０とで構成されている。
【０００９】
次に動作について説明する。
コントローラ１の制御によって予め予約された番組が放送されるチャンネル（予約については、番組ではなくチャンネルの形態でもよい）を録画用チューナ２で選局する。
ここでは、番組予約手段については特に限定せず、ユーザーによる登録でも、ユーザーの過去の視聴実績等を元に装置が行う自動選択でもよい。
【００１０】
録画用チューナ２からの出力は、復調回路３で復調処理が行われ、ＴＳ（トランスポートストリーム）信号の形態で分離回路４に送られる。
分離回路４では、復調回路３から送られてきたＴＳ信号に多重されている様々なデータから所望の番組データを分離し、コントローラ１の指示により指定された番組、もしくは指定されたチャンネルを指定された時間だけ録画装置５に記録する。
一方、視聴用チューナ６では、ユーザーの操作に基づいて選局が行われる。
録画用チューナ６の出力は復調回路７で復調処理が行われ、ＴＳ信号が復調回路７から分離回路４に送られる。
【００１１】
分離回路４では、所望の番組データを分離し、復号回路８で復号処理を行った後、表示制御回路９に送る。
表示回路９では、表示装置１０に適した映像データ処理を施し、表示装置１０に映像を表示する。
なお、図１に示した分離回路４は、記録装置５からの読み出し信号と視聴用チューナ６で受信した信号を選択する機能を有しており、放送中の番組と録画番組を切り換えて復号回路８に送り、表示することができる。
以上が図１のブロック図で示したデジタル放送用のテレビジョン受信機の概略動作であるが、予約録画実施時には、録画用チューナ２の選局状態と視聴用チューナ６の選局状態をコントローラ１で比較し、例えば、図２のフローチャート示すような処理が行われる。
【００１２】
図２は、本実施の形態による自動録画装置の動作を説明するためのフローチャートである。図２で示したフローチャートでの処理について簡単に説明する。
コントローラ１に予め登録されている録画予約情報に基づいて、予約録画動作が開始されると、まず、録画用チューナ２で予約録画されるチャンネル（例えば、チャンネルＡ）が選局される（ステップＳ１０１）。
次に、コントローラ１は、視聴用チューナ６を用いて番組視聴を行っているかどうかの確認を行い（ステップＳ１０２）、視聴を行っている場合には、さらに視聴用チューナ６で録画しようとしているチャンネルＡを選局しているかどうかの確認を行う（ステップＳ１０３）。
このとき、視聴用チューナ６でチャンネルＡを選局し視聴している場合には、予約録画中止の判断を行う（ステップＳ１０４）。
【００１３】
視聴用チューナ６を使用して番組視聴を行っていないか、あるいは番組視聴していてもチャンネルＡ以外の番組を視聴している場合には、予約されたチャンネルＡの録画作業に入る（ステップＳ１０５）。
予約録画開始後も、引き続き視聴用チューナ６での選局状況を録画番組の終了まで随時確認し（ステップＳ１０６、ステップＳ１０７）、視聴用チューナ６でチャンネルＡが選局されなかった場合はそのまま番組終了まで録画を行い保存する（ステップＳ１０８）。
視聴用チューナ６でチャンネルＡが選局された場合には、既に記録済みの録画データを「追っかけ再生」の要領で視聴する（ステップＳ１０９）と共に、番組終了まで視聴が継続されたかどうかを確認し（ステップ１１０）、視聴が継続された場合には視聴終了と共に録画データを消去し（ステップＳ１１１）、継続されなかった場合には番組終了まで録画を行った後、録画データをそのまま残す（ステップＳ１１２）。
なお、「追っかけ再生」とは、例えば、ＨＤＤ（ハードディスクドライブ）などに番組を記録する際、ＨＤＤに記録しながら、ある時間遅らせて記録済みのデータを再生する方式のことをいう。即ち、録画を常に追いかけるような形で再生を行うため、「追っかけ再生」と呼ばれる。この方式によれば、番組の録画修了まで待つことなく、見たいときにすぐに番組の最初から再生を行うことができ。
【００１４】
以上説明したように、本実施の形態による自動録画装置は、予め録画するテレビジョン番組を登録する番組予約手段と、受信するテレビジョン番組の複数のチャンネルの中から番組予約手段によって予め録画予約されているテレビジョン番組が放送される第１のチャンネルを録画用チューナ２によって選局する第1の選局手段と、受信するテレビジョン番組の複数のチャンネルの中から第1の選局手段が選択した第１のチャンネルと同一のチャンネルもしくは録画予約されているテレビジョン番組とは異なるテレビジョン番組が放送される第２のチャンネルを視聴用チューナ６によって選局する第２の選局手段と、番組予約手段で登録された番組予約情報に基づいて第1の選局手段で選局されたチャンネルで放送されるテレビジョン番組を録画する録画手段（録画装置５）と、第1の選局手段の選局情報と第２の選局手段の選局情報に基づいて、録画手段によって録画されたテレビジョン番組が番組終了まで視聴されたか否かを判断する判断手段を備え、録画されたテレビジョン番組が番組終了まで視聴されたと判断されると、録画手段に録画された視聴済みのテレビジョン番組を消去するように構成されている。
【００１５】
また、本実施の形態による自動録画方法は、予め録画するテレビジョン番組を登録する番組予約ステップと、受信するテレビジョン番組の複数のチャンネルの中から番組予約ステップにおいて予め録画予約されているテレビジョン番組が放送される第１のチャンネルを録画用チューナによって選局する第1の選局ステップと、受信するテレビジョン番組の複数のチャンネルの中から第1の選局ステップが選択した前記第１のチャンネルと同一もしくは録画予約されているテレビジョン番組とは異なるテレビジョン番組が放送される第２チャンネルを視聴用チューナ６によって選局する第２の選局ステップと、番組予約ステップで登録された番組予約情報に基づいて第1の選局ステップ手段で選局されたチャンネルのテレビジョン番組を録画する録画ステップと、第1の選局ステップにおける選局情報と第２の選局ステップにおける選局情報に基づいて、録画ステップによって録画されたテレビジョン番組が番組終了まで視聴されたか否を判断する判断ステップを有し、
録画されたテレビジョン番組が番組終了まで視聴されたと判断されると、前記録画ステップにおいて録画された視聴済みのテレビジョン番組を消去する。
【００１６】
このように、本実施の形態による自動録画装置あるいは自動録画方法においては、録画用の番組選択情報とユーザーが視聴する番組選択情報に基づいて録画されたテレビジョン番組が視聴済みであると判断されると、録画された視聴済みのテレビジョン番組を消去するので、録画装置の記録容量の枯渇を抑制でき、記録番組の消去にかかる煩わしさを軽減できる。
【００１７】
実施の形態２．
図３は、実施の形態２に係わる自動録画装置を含んだデジタル放送用のテレビジョン受信機の構成を示すブロック図である。
前述の実施の形態１では、録画用チューナと視聴用チューナを個々に設けていたが、本実施の形態では、録画／視聴共用チューナ１１を設けている。
以下、実施の形態１と異なる部分についてのみ、動作を説明する。
本実施の形態では、録画用のチューナと視聴用のチューナを別個に分離せず、録画／視聴共用チューナ１１を使用する。
録画用の選局制御と視聴用の選局制御は、それぞれ独立してコントローラ１によって制御されるが、録画／視聴共用チューナ１１は録画と視聴で共用することになる。
【００１８】
図４は、本実施の形態による自動録画装置の動作を説明するためのフローチャートである。図４に示されたフローチャートの処理について、簡単に説明する。
コントローラ１からのテレビジョン番組予約情報に基づいて、予約されたテレビジョン番組の録画動作が開始されると、まず、録画／視聴共用チューナ１１によってユーザーが他のテレビジョン番組を視聴していないかを確認し（ステップＳ２０１）、視聴している場合には予約録画を中止する（ステップＳ２０２）。
ユーザーが録画／視聴共用チューナ１１でテレビジョン番組視聴していない場合には、録画／視聴共用チューナ１１によって予め録画予約されているテレビジョン番組が放送されるチャンネル（例えば、チャンネルＡ）を選局し（ステップＳ２０３）、録画を開始する（ステップＳ２０４）。
【００１９】
録画開始後は、ユーザーによるチューナ１１を使用した視聴操作の有無をコントローラ１によって随時確認し（ステップＳ２０５）、テレビジョン番組終了まで視聴操作が行われなかった場合（ステップＳ２０６）は、番組終了まで録画を行い、録画データをそのまま保存する（ステップＳ２０７）。
録画途中でユーザーが画／視聴共用チューナ１１を使用して視聴を始めた場合は、まず、チャンネルＡの録画を継続すると共に、録画データを追っかけ再生で表示する（ステップＳ２０８）。
その後、ユーザーがチャンネルを変更することなく（ステップＳ２０９）、番組終了まで視聴した場合（ステップＳ２１０）は、再生終了と共に録画データを消去し（ステップＳ２１１）、番組終了まで視聴しなかった場合いは、番組終了まで録画を継続し録画データはそのまま保存する（ステップＳ２１２）。
一方、録画途中でユーザーが他チャンネル（チャンネルＡ以外）を選局した場合（ステップＳ２０９）は、録画を中止すると共に、録画データも消去する（ステップＳ２１３）。
【００２０】
以上説明したように、本実施の形態による自動録画装置は、予め録画するテレビジョン番組を登録する番組予約手段と、受信するテレビジョン番組の複数のチャンネルの中から番組予約手段によって予め録画予約されているテレビジョン番組が放送される第１のチャンネルを選局できると共に、受信するテレビジョン番組の複数のチャンネルの中から第1の選局手段が選択した第１のチャンネルと同一のチャンネルもしくは録画予約されているテレビジョン番組とは異なる視聴用のテレビジョン番組が放送される第２のチャンネルを選局できる録画／視聴共用選局手段と、番組予約手段で登録された番組予約情報に基づいて録画／視聴共用選局手段で選局されたチャンネルのテレビジョン番組を録画する録画手段と、録画／視聴共用選局手段の選局情報に基づいてユーザーが第１のチャンネル以外のチャンネルを選局したか、あるいは選局された第１のチャンネルで放送された録画予約されていたテレビジョン番組が番組終了まで視聴されたか否かを判断する判断手段を備え、第１のチャンネル以外のチャンネルをユーザーが選局したと判断すると録画を中止すると共に録画データを消去し、また、録画予約されていたテレビジョン番組が番組終了まで視聴されたと判断すると録画手段に録画された視聴済みのテレビジョン番組を消去するように構成されている。
【００２１】
また、本実施の形態による自動録画方法は、予め録画するテレビジョン番組を登録する番組予約ステップと、受信するテレビジョン番組の複数のチャンネルの中から前記番組予約ステップによって予め録画予約されているテレビジョン番組が放送される第１のチャンネルを選局する録画用選局ステップと、受信するテレビジョン番組の複数のチャンネルの中から前記録画用選局ステップにおいて選択された第１のチャンネルと同一のチャンネルもしくは前記録画予約されているテレビジョン番組とは異なる視聴用のテレビジョン番組が放送される第２のチャンネルを選局する視聴共用選局ステップと、番組予約ステップで登録された番組予約情報に基づいて録画用選局ステップで選局されたチャンネルのテレビジョン番組を録画する録画ステップと、録画用選局ステップおよび視聴用選局ステップにおける選局情報に基づいてユーザーが第１のチャンネル以外のチャンネルを選局したか、あるいは選局された第１のチャンネルで放送された録画予約されていたテレビジョン番組が番組終了まで視聴されたか否かを判断する判断ステップを有し、ユーザーが第１のチャンネル以外のチャンネルを選局したと判断されると録画を中止すると共に録画データを消去し、また、録画予約されていたテレビジョン番組が番組終了まで視聴されたと判断されると録画手段に録画された視聴済みのテレビジョン番組を消去する。
【００２２】
このように、本実施の形態による自動録画装置あるいは自動録画方法においては、第１のチャンネル以外のチャンネルをユーザーが選局したと判断すると録画を中止すると共に録画データを消去し、また、録画予約されていたテレビジョン番組が番組終了まで視聴されたと判断すると録画手段に録画された視聴済みのテレビジョン番組を消去するので、録画用チューナと視聴用チューナを個別に設けず、１つの録画／視聴共用チューナを用いた場合であっても、実施の形態１の場合と同様に、録画装置の記録容量の枯渇を抑制でき、記録番組の消去にかかる煩わしさを軽減できる。
【００２３】
なお、前述した実施の形態１あるいは実施の形態２では自動録画装置について述べたが、このような自動録画装置をテビジョン受信機に備えてもよいことは言うまでもない。
実施の形態１あるいは実施の形態２の自動録画装置をテレビジョン受信機が備えることにより、一般的なレビジョン受信機の機能に加え、画装置の記録容量の枯渇を抑制し、記録した番組の消去にかかる煩わしさを軽減できる自動録画機能を有したテレビジョン受信機を提供できる。
【産業上の利用可能性】
【００２４】
本発明は、録画装置の記録容量の枯渇を抑制し、記録した番組の消去にかかる煩わしさを軽減できる自動録画装置の実現に有用であり、録画機能をもったテレビジョン受信機への適用に公的である。
【図面の簡単な説明】
【００２５】
【図１】実施の形態１に係わる自動録画装置を含んだデジタル放送用のテレビジョン受信機の構成を示すブロック図である。
【図２】実施の形態１に係わる自動録画装置の動作を説明するためのフローチャートである。
【図３】実施の形態２に係わる自動録画装置を含んだデジタル放送用のテレビジョン受信機の構成を示すブロック図である。
【図４】実施の形態２に係わる自動録画装置の動作を説明するためのフローチャートである
【符号の説明】
【００２６】
１  コントローラ
２  録画用チューナ
３  復調回路
４  分離回路
５  録画装置
６  視聴用チューナ
７  復調回路
８  復号回路
９  表示制御回路
１０  表示装置
１１  チューナ
【図１】
2007295473.tif 000003
【図２】
2007295473.tif 000004
【図３】
2007295473.tif 000005
【図４】
2007295473.tif 000006